(57)【特許請求の範囲】
【請求項１】
弾性的に伸長可能なシートからなる前胴周り域と後胴周り域とこれら両域間に位置する股下域とを有し、前記前後胴周り域それぞれの側縁部どうしが取り外し可能および取り外し不能いずれかの態様で連結されて胴周り開口と一対の脚周り開口とを形成する着用物品において、
前記シートは、前記股下域における幅方向中央部の内面側に前記着用物品着用者の肛門および尿道口の少なくとも一方を囲むことが可能な環状隆起部が形成され、前記環状隆起部から前記脚周り開口の縁部に並行して前記前後胴周り域それぞれの側縁部にまで延びて前記側縁部近傍で帯状を成している第１弾性域と、前記第１弾性域を除いた残余の部分である第２弾性域とからなり、前記第１弾性域の伸長応力が前記第２弾性域の伸長応力よりも高いことを特徴とする前記着用物品。
【請求項２】
前記前後胴周り域の側縁部どうしが連結された状態において、前記前後胴周り域に形成されている前記第１弾性域どうしが前記側縁部でつながっている請求項１に記載の着用物品。
【請求項３】
前記着用物品が開放型およびパンツ型の使い捨ておむつ、おむつカバー、生理用ショーツのいずれかである請求項１または請求項２に記載の着用物品。
【請求項４】
前記シートには、胴周り開口の縁部と脚周り開口の縁部とのうちの少なくとも一方に、縁部に並行する弾性部材が取り付けられ、前記弾性部材が前記第１弾性域の外側に位置している請求項１〜３のいずれかに記載の着用物品。
【請求項５】
前記第１弾性域は、幅１５ｍｍ当りについての１５％伸長時の応力が０．２５Ｎ以上、４０％伸長時の応力が０．６Ｎ以上であり、かつこれら第１弾性域の伸長応力が前記第２弾性域の伸長応力の１．５倍以上である請求項１〜４のいずれかに記載の着用物品。
【請求項６】
前記第２弾性域を形成している弾性的なシートは、前記前後胴周り域と股下域とに広がる少なくとも１枚のシートからなり、前記第１弾性域が弾性的なシートを前記第２弾性域を形成している弾性的なシートに重ね合わせて接合することにより形成されている請求項１〜５のいずれかに記載の着用物品。
【請求項７】
前記第１弾性域を形成するために、前記第２弾性域を形成している弾性的なシートに重ね合わせて接合する弾性的なシートが前記股下域の幅方向中央部から前記幅方向において互いに反対向きとなるように弧を画きながら前記脚周り開口の縁部に並行して前記前後胴周り域の側縁部それぞれにまで延びる一対のシートからなり、前記一対のシートが前記股下域中央部で重なり合い互いに接合している請求項６記載の着用物品。
【発明の詳細な説明】
【０００１】
【発明の属する技術分野】
この発明は、使い捨てのおむつや失禁患者用パンツ、生理用ショーツ等として使用するのに好適な着用物品に関する。
【０００２】
【従来の技術】
従来、股下域に便溜め用凹部を有する使い捨ておむつは公知である。例えば、特許文献１に開示の使い捨ておむつでは、便溜め用の凹部の周縁に柔軟性を有する隆起部が形成されている。
【０００３】
また、特許文献２に開示された衛生パンティは、パンティの上下方向へ、股部から前後の胴周り縁部にまで延びる弾性装置（弾性部材）を有し、その弾性装置の収縮作用によって吸収体を肌に密着させる。
【０００４】
【特許文献１】
実用新案登録第２５２３７１１号公報
【特許文献２】
特表平９−５０４１９４号公報
【０００５】
【発明が解決しようとする課題】
文献１の隆起部を有する使い捨ておむつには、この隆起部をおむつ着用者の肌にいかにして密着させるかという課題がある。また、特許文献２のパンティには、生理用ナプキン等の吸収体を着用者の肌に密着させるときに、収縮する弾性装置がパンティの胴周り縁部を引き下げるように作用するという難点がある。
【０００６】
この発明は、そのような課題、難点を克服することができる着用物品の提供を目的にしている。
【０００７】
【課題を解決するための手段】
前記課題解決のために、この発明が対象とするのは、弾性的に伸長可能なシートからなる前胴周り域と後胴周り域とこれら両域間に位置する股下域とを有し、前記前後胴周り域それぞれの側縁部どうしが取り外し可能および取り外し不能いずれかの態様で連結されて胴周り開口と一対の脚周り開口とを形成する着用物品である。
【０００８】
かかる着用物品において、前記シートは、前記股下域における幅方向中央部の内面側に前記着用物品着用者の肛門および尿道口の少なくとも一方を囲むことが可能な環状隆起部が形成され、前記環状隆起部から前記脚周り開口の縁部に並行して前記前後胴周り域それぞれの側縁部にまで延びて前記側縁部近傍で帯状を成している第１弾性域と、前記第１弾性域を除いた残余の部分である第２弾性域とからなり、前記第１弾性域の伸長応力が前記第２弾性域の伸長応力よりも高いことにこの発明の特徴がある。
【０００９】
この発明の好ましい実施態様において、
（１）前記前後胴周り域の側縁部どうしが連結された状態において、前記前後胴周り域に形成されている前記第１弾性域どうしが前記側縁部でつながっている。
（２）前記着用物品が開放型およびパンツ型の使い捨ておむつ、おむつカバー、生理用ショーツのいずれかである。
（３）前記シートには、胴周り開口の縁部と脚周り開口の縁部とのうちの少なくとも一方に、縁部に並行する弾性部材が取り付けられ、前記弾性部材が前記第１弾性域の外側に位置している。
（４）前記第１弾性域は、幅１５ｍｍ当りについての１５％伸長時の応力が０．２５Ｎ以上、４０％伸長時の応力が０．６Ｎ以上であり、かつこれら第１弾性域の伸長応力が前記第２弾性域の伸長応力の１．５倍以上である。
（５）前記第２弾性域を形成している弾性的なシートは、前記前後胴周り域と股下域とに広がる少なくとも１枚のシートからなり、前記第１弾性域が弾性的なシートを前記第２弾性域を形成している弾性的なシートに重ね合わせて接合することにより形成されている。
（６）前記第１弾性域を形成するために前記第２弾性域を形成している弾性的なシートに重ね合わせて接合する弾性的なシートが前記股下域の幅方向中央部から前記幅方向において互いに反対向きとなるように弧を画きながら前記脚周り開口の縁部に並行して前記前後胴周り域の側縁部それぞれにまで延びる一対のシートからなり、前記一対のシートが前記股下域中央部で重なり合い互いに接合している。
【００１０】
【発明の実施の形態】
この発明に係る着用物品として使い捨てのおむつを例にとり、添付の図面を参照して発明の詳細を説明すると、以下のとおりである。
【００１１】
図１，２は、着用状態にある使い捨ておむつ１の斜視図と、おむつ１の部分破断平面図である。図示例のおむつ１は開放型のもので、平面図において双頭矢印Ａで示される幅方向と、双頭矢印Ｂで示される長さ方向とを有し、着用状態にあるときに胴周り開口１５と一対の脚回り開口１６とが形成される。平面図において砂時計型を呈しているおむつ１は、幅方向Ａと長さ方向Ｂとに弾性的に伸長可能な被覆シート５を有し、かかる被覆シート５が着用者の肌に接触する弾性的に伸長可能な内面シート２と、着用者の着衣に接触する弾性的に伸長可能な外面シート３とによって形成され、これら両シート２，３が接着剤によって、または互いに溶着することによって間欠的に接合している。おむつ１の長さ方向Ｂには、股下域８を中心に、股下域８の前方に前胴周り域６、股下８の後方に後胴周り域７が形成されている。おむつ１はまた、幅方向Ａヘ延びる前端縁部１１と後端縁部１２と、長さ方向Ｂヘ延びる両側縁部１３とを有し、両側縁部１３が股下域８において内側へ湾曲して脚周り側縁部１４を形成している。後端縁部１２と脚周り側縁部１４とでは、複数条の糸ゴムからなる胴周り弾性部材１７と脚周り弾性部材１８とが内面シート２と外面シート３との間に介在し、これらシート２，３の少なくとも一方に伸長状態または非伸長状態で接合している。股下域８における幅方向中央部の内面には環状隆起部２１が形成され、この隆起部２１の内側は便溜め２２を成している。隆起部２１は、股下域８のうちの後胴周り域７寄りの部位に形成されており、おむつ１を着用すると肛門を囲むようにして肌に当接することが可能な位置にある。
【００１２】
かように形成されたおむつ１における被覆シート５はまた、それを図２のように平面的に見ると環状隆起部２１の周囲から前胴周り域６の両側縁部１３と後胴周り域７の両側縁部１３とに向かってほぼｘ字を画いて延びる帯状の高弾性域２６と、被覆シート５において高弾性域２６を除いた残余の部位である低弾性域２７とを有する。高弾性域２６は、おむつ１を着用するときに、低弾性域２７よりも高い伸長力を要する部位であり、脚周り側縁部１４に沿って延びている。
【００１３】
かかる高弾性域２６は、弾性的な伸長性を有するシート２８を内外面シート２，３間に介在させてこれらシート２，３の少なくとも一方に接合することにより形成されている。弾性的なシート２８には、好ましくは内面シート２や外面シート３と同程度であるかそれよりも高い伸長応力を有するものが使用される。胴周り弾性部材１７と脚周り弾性部材１８とは、被覆シート５がおむつ１着用者の胴周りと脚周りとによく密着するように必要に応じて使用されるもので、一方の部材または両方の部材を省いておむつ１を作ることも可能である。
【００１４】
好ましい被覆シート５における高弾性域２６は、幅１５ｍｍ当りについての１５％伸長時の応力が０．２５Ｎ以上、４０％伸長時の応力が０．６Ｎ以上であり、かつこれら高弾性域２６の伸長応力が低弾性域２７の伸長応力の１．５倍以上である。
【００１５】
おむつ１は、後胴周り域７の両側縁部１３における内面シート２に商品名マジックテープ等で知られるメカニカルファスナのフック部材３１ａと３１ｂとが取り付けられ、前胴周り域６の両側縁部１３における外面シート３にメカニカルファスナのループ部材３２ａと３２ｂとが取り付けられている。これらメカニカルファスナのうちの少なくともフック部材３１ｂとループ部材３２ｂとは、少なくともその一部分が高弾性域２６の内側にある。
【００１６】
図３，４は、図２のＩＩＩ−ＩＩＩ線およびＩＶ−ＩＶ線に沿う部分断面図である。隆起部２１は、柔軟な発泡ウレタンゴム等からなるもので、接着剤３３を介して内面シート２に接合している。便溜め２２の底部では、内面シート２の下に体液吸収性芯材３４が設けられ、芯材３４の下には弾性的なシート２８と外面シート３とが位置している。
【００１７】
芯材３４は、粉砕パルプまたは粉砕パルプと高吸収性ポリマー粒子との混合物によって形成され、内面シート２は、少なくとも芯材３４を被覆する部分において透液性を有し、外面シート３は少なくとも芯材３４の下方に位置する部分において不透液性を有している。
【００１８】
このように形成されたおむつ１を着用するときには、隆起部２１をおむつ着用者の肛門の周囲で肌に接触させ、前胴周り域６の側縁部１３の上に後胴周り域７の側縁部１３を重ね、後胴周り域７の側縁部１３を胴周り方向ヘ引張ってフック部材３１ａ，３１ｂをループ部材３２ａ，３２ｂに重ねて止着する。そうすることによって、前後胴周り域６，７の側縁部１３にまで延びた高弾性域２６は、側縁部１３で重なり合い脚周りを囲むループを形成し、伸長応力の高い高弾性域２６が隆起部２１を肌に強く押し当てる。かような隆起部２１は、それが押し当てられた位置からずれたり、肌から離間したりすることがないから、排泄された便、特に軟便を便溜め２２の中に確実に捕捉して、便溜め２２の外へ漏らすことがない。おむつ１を着用したときの高弾性域２６における張力は、主として股下域８と胴周り側縁部１３との間に作用して胴周り開口を形成している前端縁部１１や後端縁部１２に作用し難いから、このおむつ１では、その張力によって胴周り開口近傍がずり下がることはない。
【００１９】
図５，６は、発明の実施態様の一例を示す図２と同様な図面と、図５のＶＩ−ＶＩ線に沿う部分断面図である。このおむつ１は、図２と同様な第１隆起部２１と便溜め２２とを有することに加え、股下域８における前胴周り寄りの部位に環状の第２隆起部４１を有し、第２隆起部４１の内側が尿溜め４２形成している。内外面シート２，３と弾性的なシート２８とによって形成された高弾性域２６は、これら第１，２隆起部２１，４１の下方を通りｘ字状に延びている。便溜め２２と尿溜め４２との底部４３，４４は、透液性シート４６と不透液性シート４７とこれら両シート４６，４７間に介在する体液吸収性芯材４８とからなり、おむつ１の外側へ向かってふくらむような袋状を呈している。かかるおむつ１では、高弾性域２６の作用によって、第１隆起部２１を肛門の周囲に密着させると同時に、第２隆起部４１を尿道口の周囲に密着させることができる。
【００２０】
この発明において、弾性的なシート２８は、内面シート２と外面シート３との間に介在させることに代えて、図３における内面シート２の上面または外面シート３の下面に接合することもできる。また、この発明は、図５，６の態様の他に、便溜め２２を持たず、尿溜め４２だけを持つ態様で実施することもできる。また、この発明は、図示例の開放型のおむつの他に、前後胴周り域６，７の側縁部１３どうしが合掌状に重ねられて接合しているパンツ型のおむつにおいて実施することも可能である。側縁部１３が接合されるときに、前胴周り域６に位置する高弾性域２６と後胴周り域７に位置する高弾性域２６とは、互いに重なり合い実質的につながった状態にあることが好ましい。内面シート２と外面シート３との間には、図示例の芯材３４，４８よりもさらに大きな芯材を介在させることができる。芯材３４，４８は、内外面シート２，３の伸長性を損なうことがないように、内外面シート２，３の一方に対してのみ間欠的に接合することが好ましい。
【００２１】
図７は、この発明の実施態様の一例を示す図２と同様な図面である。ただし、図示例のものは図２に示された環状部２１と、吸収性芯材３４とを有しておらず、おむつカバーや、吸尿パッド（図示せず）を股部に密着させておくためのカバー等として使用するのに適した着用物品５１である。また、この着用物品５１は、図２のそれと異なり、高弾性域２６を形成する弾性的なシート２８が幅方向Ａにおいて互いに逆向きとなるように弧を画いて股部中央域から脚周り開口の側縁部１４に並行して前後胴周り域６，７それぞれの側縁部１３にまで延びる一対の弾性的な伸長性を有するシート２８ａと２８ｂとによって形成されている。これらの弾性的なシート２８ａと２８ｂとは股部中央域において重なり合い、接着または溶着によって接合している。弾性的なシート２８ａ，２８ｂには、表裏面シート２，３のいずれかと同じシートを使用したり、表裏面シート２，３よりも高い引張り応力を有するシート等を使うことができる。股部中央域では、弾性的なシート２８ａと２８ｂに対して内外面シート２，３がさらに重なり、重なり合うシートどうしを接合することによって、着用物品５１は幅方向Ａと長さ方向Ｂとに伸長したときに、股部中央域の伸長応力が最も高くなる。図示例の着用物品５１は、多数の溶着スポット５３を有し、これらのスポット５３において重なり合うシートどうしが溶着している。弾性的なシート２８ａ，２８ｂは、面積当りのスポット５３の個数やスポット５３を散在させるレイアウトによって伸長のし易さをコントロールすることが可能である。図では、面積当りのスポット５３の個数が股部被覆域８において最も多くなっている。
【００２２】
かような着用物品５１では、高弾性域２６の作用、特に股部中央域の作用によって、着用物品５１の内側にセットした使い捨ておむつや吸尿パッドを股部に強く密着させることが可能である。着用物品５１は、内面シート２を内側にして長さ方向Ｂヘ折り重ね、合掌状に重なり合う側縁部１３どうしを接合すればパンツ型の着用物品５１となる。この着用物品５１は、生理用ナプキンを肌に密着させるための生理用ショーツとして使用するのに好適である。
【００２３】
【発明の効果】
この発明に係る着用物品では、股下域の中央部から前胴周り域の両側縁部と後胴周り域の両側縁部とヘほぼｘ字を画いて延びる高弾性域の作用によって、股下域中央部がそこに設けられた便溜め用の環状隆起部や使い捨ておむつ、尿取りパッド、生理用ナプキン等を肌に密着させるから、その高弾性域の作用によって着用物品が着用者の胴部からずり下がるということがない。
【図面の簡単な説明】
【図１】使い捨ておむつの斜視図。
【図２】図１のおむつの部分破断平面図。
【図３】図２のＩＩＩ−ＩＩＩ線に沿う部分断面図。
【図４】図２のＩＶ−ＩＶ線に沿う部分断面図。
【図５】実施態様の一例を示す図２と同様な図面。
【図６】図５のＶＩ−ＶＩ線に沿う部分断面図。
【図７】実施態様の一例を示す図２と同様の図面。
【符号の説明】
１      使い捨て着用物品
５      弾性的に伸長可能なシート（被覆シート）
６      前胴周り域
７      後胴周り域
８      股下域
１３      側縁部
１４      側縁部
２１      隆起部
２６      第１弾性域（高弾性域）
２７      第２弾性域（低弾性域）
４１      隆起部
【図１】
0003848617.tif 000002
【図２】
0003848617.tif 000003
【図３】
0003848617.tif 000004
【図４】
0003848617.tif 000005
【図５】
0003848617.tif 000006
【図６】
0003848617.tif 000007
【図７】
0003848617.tif 000008